(57)【要約】【課題】使用する機能と未使用の機能とがどれであるかをユーザが容易に把握することができるようにすること。【解決手段】記憶部２２が、各機能の使用／未使用の設定情報である機能限定モード設定データ２２ｆを記憶し、電力供給制御部２４ｆが、機能限定モード設定データ２２ｆに基づいて各機能に対応するハードウェアへの電力の供給を制御し、表示状態変更制御部２４ｇが、電力供給制御部２４ｆによる制御により電力の供給がなされたハードウェアに対応する機能の操作に係る情報と、電力の供給が遮断されたハードウェアに対応する機能の操作に係る情報とでＬＣＤ１３における情報の表示状態が異なる状態となるよう制御する。【選択図】        図１
2007034709.tif 000002
【特許請求の範囲】
【請求項１】
自装置の各機能の操作に係る情報を表示する表示部を有する情報処理装置であって、
各機能の使用／未使用の設定情報を記憶する設定情報記憶手段と、
前記設定情報記憶手段により記憶された設定情報に基づいて各機能に対応するハードウェアへの電力の供給を制御する電力供給制御手段と、
前記電力供給制御手段による制御により電力の供給がなされたハードウェアに対応する機能の操作に係る情報と、電力の供給が遮断されたハードウェアに対応する機能の操作に係る情報とで前記表示部における情報の表示状態が異なる状態となるよう制御する表示状態変更制御手段と、
を備えたことを特徴とする情報処理装置。
【請求項２】
前記設定情報記憶手段により各機能の使用／未使用の設定情報が複数記憶されている場合に、ユーザによる切り替え操作により複数の設定情報の中から１つの設定情報を排他的に選択する選択スイッチをさらに備え、前記電力供給制御手段は、前記選択スイッチが切り替えられることにより選択された設定情報に基づいて、各機能に対応するハードウェアへの電力の供給を制御することを特徴とする請求項１に記載の情報処理装置。
【請求項３】
所定の処理を実行する場合に使用された各機能の使用履歴に係る情報を記憶する使用履歴情報記憶手段と、前記使用履歴情報記憶手段により記憶された情報に基づいて各機能の使用／未使用を設定する使用／未使用設定手段とをさらに備え、前記設定情報記憶手段は、使用／未使用設定手段によりなされた使用／未使用の設定結果を前記設定情報として記憶することを特徴とする請求項１または２に記載の情報処理装置。
【請求項４】
自装置の各機能の操作に係る情報を表示部に表示する情報処理方法であって、
各機能の使用／未使用の設定情報を記憶する設定情報記憶工程と、
前記設定情報記憶工程により記憶された設定情報に基づいて各機能に対応するハードウェアへの電力の供給を制御する電力供給制御工程と、
前記電力供給制御工程による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御工程と、
を含んだことを特徴とする情報処理方法。
【請求項５】
自装置の各機能の操作に係る情報を表示部に表示する情報処理プログラムであって、
各機能の使用／未使用の設定情報を記憶する設定情報記憶手順と、
前記設定情報記憶手順により記憶された設定情報に基づいて各機能に対応するハードウェアへの電力の供給を制御する電力供給制御手順と、
前記電力供給制御手順による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御手順と、
をコンピュータに実行させることを特徴とする情報処理プログラム。
【発明の詳細な説明】
【技術分野】
【０００１】
この発明は、自装置の各機能の操作に係る情報を表示部に表示する情報処理装置、情報処理方法および情報処理プログラムに関し、特に、使用する機能と未使用の機能とがどれであるかをユーザが容易に把握することのできる情報処理装置、情報処理方法および情報処理プログラムに関する。
【背景技術】
【０００２】
従来、携帯電話は、外出先でも容易に通信をおこなうことができる携帯端末として広く利用されている。この携帯電話には、音声通話機能のほかに、電子メールの送受信機能やインターネット接続機能など、さまざまな機能が搭載されている。
【０００３】
これらの機能は、通常利用可能な状態となっており、各機能を実現させるすべての回路に電力供給がなされている。この場合、未使用の機能を実現する回路にも電力が供給されるため、携帯電話の充電池の充電レベルを無駄に低下させ、携帯電話の駆動時間を短くしてしまうという問題が発生する。
【０００４】
そのため、ユーザが使用する機能に応じて、携帯電話の各回路への電力の供給パターンをあらかじめ定めておき、各機能の使用状況に応じて、電力供給の不要な回路には電力を供給しないように制御する装置が開示されている（たとえば、特許文献１，２または３を参照）。
【０００５】
【特許文献１】特開２００３−１３４２２５号公報
【特許文献２】特開平９−１３０４５７号公報
【特許文献３】特開２００２−３５３８８２号公報
【発明の開示】
【発明が解決しようとする課題】
【０００６】
しかしながら、上述した従来技術では、ユーザが使用する機能と使用しない機能とを選択した場合に、電力供給が遮断された回路に対応する使用しない機能と、電力供給がなされる回路に対応する使用する機能とがどれであるかをユーザが把握することが難しいという問題があった。
【０００７】
具体的には、携帯電話の画面には、通常各機能を操作する操作メニューが表示されるが、現在未使用に設定されている機能に係る操作メニューをそのまま表示してしまうと、ユーザを混乱させてしまうという問題があった。
【０００８】
たとえば、通信相手の電話番号や電子メールアドレスなどの情報を登録した電話帳の機能を、ユーザが音声通話時には使用しない機能として設定し、電子メールの送受信時には使用する機能として設定しているものとする。
【０００９】
このような場合、音声通話時に、ユーザが電話帳の機能を使用可能としたか使用不可能としたかを忘れてしまうと、電話帳の機能を起動しようとして無駄に入力操作をおこなう可能性が生じ、携帯電話の操作性を損ねるという問題があった。
【００１０】
このことは、各機能の使用／未使用の設定情報を携帯電話の画面に表示させることにより解決することができるが、その設定情報を操作メニューと同一の画面上に表示させると、情報量が多くなり、表示が見にくくなってしまう。一方、別画面に切り替えて設定情報を表示させてもよいが、操作メニューが一旦隠れてしまうことになり、分かり易さが損なわれる。
【００１１】
そのため、ユーザが、携帯電話などの情報処理装置において、使用する機能と未使用の機能とがどれであるかを情報処理装置に備えられた画面上で容易に把握することのできる技術の開発が課題となっている。
【００１２】
この発明は、上述した従来技術による問題点を解消するためになされたものであり、使用する機能と未使用の機能とがどれであるかをユーザが容易に把握することのできる情報処理装置、情報処理方法および情報処理プログラムを提供することを目的とする。
【課題を解決するための手段】
【００１３】
上述した課題を解決し、目的を達成するため、本発明は、自装置の各機能の操作に係る情報を表示する表示部を有する情報処理装置であって、各機能の使用／未使用の設定情報を記憶する設定情報記憶手段と、前記設定情報記憶手段により記憶された設定情報に基づいて各機能に対応するハードウェアへの電力の供給を制御する電力供給制御手段と、前記電力供給制御手段による制御により電力の供給がなされたハードウェアに対応する機能の操作に係る情報と、電力の供給が遮断されたハードウェアに対応する機能の操作に係る情報とで前記表示部における情報の表示状態が異なる状態となるよう制御する表示状態変更制御手段と、を備えたことを特徴とする。
【００１４】
また、本発明は、上記発明において、前記設定情報記憶手段は、所定の処理を実行するのに必要な機能の組み合わせを、使用する機能としてあらかじめ設定した設定情報を記憶することを特徴とする。
【００１５】
また、本発明は、上記発明において、前記各機能の使用／未使用の設定をユーザから受け付ける設定受付手段をさらに備え、前記設定情報記憶手段は、前記設定受付手段により受け付けられた各機能の使用／未使用の設定を前記設定情報として記憶することを特徴とする。
【００１６】
また、本発明は、上記発明において、前記設定情報記憶手段により各機能の使用／未使用の設定情報が複数記憶されている場合に、ユーザによる切り替え操作により複数の設定情報の中から１つの設定情報を排他的に選択する選択スイッチをさらに備え、前記電力供給制御手段は、前記選択スイッチが切り替えられることにより選択された設定情報に基づいて、各機能に対応するハードウェアへの電力の供給を制御することを特徴とする。
【００１７】
また、本発明は、上記発明において、前記設定情報記憶手段により各機能の使用／未使用の設定情報が複数記憶されている場合に、複数の設定情報の中から１つの設定情報を排他的に選択する選択メニューを表示し、ユーザによる設定情報の選択結果を受け付ける選択結果受付手段をさらに備え、前記電力供給制御手段は、前記選択結果受付手段により受け付けられた選択結果に基づいて、各機能を実現するハードウェアへの電力の供給を制御することを特徴とする。
【００１８】
また、本発明は、上記発明において、前記情報記憶手段により各機能の使用／未使用の設定情報が複数記憶されている場合に、ユーザによる切り替え操作により複数の設定情報の中から１つの設定情報を排他的に選択する選択スイッチと、複数の設定情報の中から１つの設定情報を排他的に選択する選択メニューを表示し、ユーザによる設定情報の選択結果を受け付ける選択結果受付手段と、前記選択スイッチと前記選択結果受付手段とが排他的に機能するよう制御する機能制御手段とを備えたことを特徴とする。
【００１９】
また、本発明は、上記発明において、所定の処理を実行する場合に使用された各機能の使用履歴に係る情報を記憶する使用履歴情報記憶手段と、前記使用履歴情報記憶手段により記憶された情報に基づいて各機能の使用／未使用を設定する使用／未使用設定手段とをさらに備え、前記設定情報記憶手段は、使用／未使用設定手段によりなされた使用／未使用の設定結果を前記設定情報として記憶することを特徴とする。
【００２０】
また、本発明は、自装置の各機能の操作に係る情報を表示部に表示する情報処理方法であって、各機能の使用／未使用の設定情報を記憶する設定情報記憶工程と、前記設定情報記憶工程により記憶された設定情報に基づいて各機能に対応するハードウェアへの電力の供給を制御する電力供給制御工程と、前記電力供給制御工程による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御工程と、を含んだことを特徴とする。
【００２１】
また、本発明は、上記発明において、自装置の各機能の操作に係る情報を表示部に表示する情報処理プログラムであって、各機能の使用／未使用の設定情報を記憶する設定情報記憶手順と、前記設定情報記憶手順により記憶された設定情報に基づいて各機能に対応するハードウェアへの電力の供給を制御する電力供給制御手順と、前記電力供給制御手順による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御手順と、をコンピュータに実行させることを特徴とする。
【発明の効果】
【００２２】
本発明によれば、各機能の使用／未使用の設定情報を記憶し、記憶された設定情報に基づいて各機能に対応するハードウェアへの電力の供給を制御し、当該制御により電力の供給がなされたハードウェアに対応する機能の操作に係る情報と、電力の供給が遮断されたハードウェアに対応する機能の操作に係る情報とで表示部における情報の表示状態が異なる状態となるよう制御することとしたので、使用する機能と未使用の機能とがどれであるかをユーザが容易に把握することができるという効果を奏する。
【００２３】
また、本発明によれば、所定の処理を実行するのに必要な機能の組み合わせを、使用する機能としてあらかじめ設定した設定情報を記憶することとしたので、所定の処理を実行するのに最小限必要な機能の組み合わせなどをあらかじめ設定しておくことができ、ユーザが煩雑な設定をおこなうことなく、電力の消費量を容易に抑制することができるという効果を奏する。
【００２４】
また、本発明によれば、各機能の使用／未使用の設定をユーザから受け付け、受け付けた各機能の使用／未使用の設定を上記設定情報として記憶することとしたので、ユーザの情報処理装置の使用状況に応じて上記設定情報をカスタマイズすることができるという効果を奏する。
【００２５】
また、本発明によれば、各機能の使用／未使用の設定情報が複数記憶されている場合に、ユーザによる切り替え操作により複数の設定情報の中から１つの設定情報を排他的に選択する選択スイッチを備え、選択スイッチが切り替えられることにより選択された設定情報に基づいて、各機能に対応するハードウェアへの電力の供給を制御することとしたので、ユーザが選択スイッチにより容易に電力の供給パターンを変更することができるという効果を奏する。
【００２６】
また、本発明によれば、各機能の使用／未使用の設定情報が複数記憶されている場合に、複数の設定情報の中から１つの設定情報を排他的に選択する選択メニューを表示し、ユーザによる設定情報の選択結果を受け付け、受け付けた選択結果に基づいて、各機能を実現するハードウェアへの電力の供給を制御することとしたので、ユーザが選択メニューから設定情報を選択することにより容易に電力の供給パターンを変更することができるという効果を奏する。
【００２７】
また、本発明によれば、各機能の使用／未使用の設定情報が複数記憶され、ユーザによる切り替え操作により複数の設定情報の中から１つの設定情報を排他的に選択する選択スイッチと、複数の設定情報の中から１つの設定情報を排他的に選択する選択メニューを表示し、ユーザによる設定情報の選択結果を受け付ける選択結果受付部とがある場合に、選択スイッチと選択結果受付部とが排他的に機能するよう制御することとしたので、ユーザが選択スイッチ、あるいは、選択メニューのどちらからでも確実かつ容易に電力の供給パターンを変更することができるという効果を奏する。
【００２８】
また、本発明によれば、所定の処理を実行する場合に使用された各機能の使用履歴に係る情報を記憶し、記憶した情報に基づいて各機能の使用／未使用を設定し、当該使用／未使用の設定結果を設定情報として記憶することとしたので、新しいアプリケーションプログラムが導入された場合などに、アプリケーションプログラムが実行する処理が使用する機能、使用しない機能を判定することができ、容易かつ効率的に電力の供給パターンを設定することができるという効果を奏する。
【発明を実施するための最良の形態】
【００２９】
以下に添付図面を参照して、本発明に係る情報処理装置、情報処理方法、および、情報処理プログラムの好適な実施例を詳細に説明する。
【実施例】
【００３０】
まず、本実施例に係る携帯電話機の機能構成について説明する。図１は、本実施例に係る携帯電話機の機能構成を示す図である。
【００３１】
この携帯電話機では、使用する機能、使用しない機能をあらかじめ設定しておき、使用しない機能に対応するハードウェアへの電力の供給をおこなわないことにより、電力消費を抑制する。
【００３２】
また、単に電力消費を抑制するだけでなく、電力の供給がなされるハードウェアに対応する機能の操作メニューと、電力の供給がなされないハードウェアに対応する機能の操作メニューとで、ディスプレイにおける操作メニューの表示状態が異なる状態となるよう制御する。これにより、使用する機能と未使用の機能とがどれであるかをユーザが容易に把握することができるようになる。
【００３３】
図１に示すように、この携帯電話機は、電源１０、電力供給回路１１、入力キー１２、ＬＣＤ（Liquid Crystal Display）１３、カメラ１４、スピーカ１５、マイク１６、音声通信回路１７、データ通信回路１８、アンテナ１９、無線通信回路２０、ＲＴＣ（Real Time Clock）２１、記憶部２２、機能限定モード切替スイッチ２３、および、制御部２４を有する。
【００３４】
電源１０は、携帯電話機の各部に供給する電力を発生する電池である。電力供給回路１１は、制御部２４の制御により携帯電話機の各部に電力を供給する回路である。入力キー１２は、ユーザから情報の入力操作を受け付ける入力キーである。ＬＣＤ１３は、種々の情報を表示する液晶ディスプレイである。
【００３５】
カメラ１４は、静止画あるいは動画の撮影をおこなうカメラである。スピーカ１５は、通話音声や再生音を出力するスピーカである。マイク１６は、音声情報を取得して、それを電気信号に変換するマイクである。
【００３６】
音声通信回路１７は、音声通話信号の増幅やＡＤ（Analog-Digital）変換、ＤＡ（Digital-Analog）変換などをおこなう回路である。データ通信回路１８は、電子メールなどのデータの送信信号の生成などをおこなう回路である。
【００３７】
アンテナ１９は、無線電波の送受信をおこなうアンテナである。無線通信回路２０は、電気信号を無線電波信号に変換し、また、無線電波信号を電気信号に変換する回路である。ＲＴＣ２１は、時刻情報を提供する時計である。
【００３８】
記憶部２２は、メモリなどの記憶デバイスである。この記憶部２２は、電話帳データ２２ａ、電子メールデータ２２ｂ、通信データ２２ｃ、画像データ２２ｄ、スケジュールデータ２２ｅ、機能限定モード設定データ２２ｆ、および、機能ブロック使用履歴データ２２ｇを記憶している。
【００３９】
電話帳データ２２ａは、通信先の電話番号や電子メールアドレスなどの情報を記憶したデータである。電子メールデータ２２ｂは、送受信した電子メールのデータである。通信データ２２ｃは、インターネット上のサーバ装置などとの間でデータ通信をおこなうことにより取得したデータである。画像データ２２ｄは、カメラ１４により撮影された画像のデータである。スケジュールデータ２２ｅは、ユーザにより入力されたユーザのスケジュールのデータである。
【００４０】
機能限定モード設定データ２２ｆは、各機能の使用／未使用の設定情報を記憶したデータである。携帯電話機の各部に電力を供給するか否かの判定は、この機能限定モード設定データ２２ｆを参照しておこなわれる。
【００４１】
図２は、図１に示した機能限定モード設定データ２２ｆの一例を示す図である。図２に示すように、この機能限定モード設定データ２２ｆには、複数の機能限定モードが記憶されている。そして、機能限定モードごとに各機能ブロックにより実現される機能を使用するか否かが設定されている。
【００４２】
図２の例では、機能限定モードとして、「通常」、「通話・電子メール」、「通話１」、「通話２」、「カスタム１」、および、「カスタム２」が設定されている。また、機能ブロックには、「音声通信」、「無線通信」、「電話帳」、「表示」、「電子メール」、「データ通信」、「カメラ」、および、「その他」が設定されている。
【００４３】
この機能ブロックは、携帯電話機が実現する音声通信機能、無線通信機能、電話帳機能、表示機能、電子メール機能、データ通信機能、カメラ機能、および、その他の機能を実現する携帯電話の機能部の集まりであり、この機能ブロックに対応付けて使用／未使用を設定することにより、各機能の使用／未使用を設定することができる。
【００４４】
そして、機能ブロックが使用に設定された場合には、その機能ブロックに対応するハードウェアに対する電力の供給がなされ、機能ブロックが未使用に設定された場合には、その機能ブロックに対応するハードウェアに対する電力の供給が遮断される。
【００４５】
また、「通常」モード、「通話・電子メール」モード、「通話１」モード、「通話２」モードは、あらかじめ携帯電話機に設定されているモードであり、各機能ブロックの使用／未使用の設定は固定されている。「カスタム１」モード、および、「カスタム２」モードは、ユーザが各機能ブロックの使用／未使用を自由に設定できるカスタムモードである。
【００４６】
図３は、図２に示した機能限定モードと機能ブロックとの間の関係を概念的に示す図である。図３では、図２の「通常」モード、「通話・電子メール」モード、「通話１」モード、および、「カスタム２」モードについて示してある。
【００４７】
図３に示すように、「通常」モードでは、すべての機能ブロックが「使用」に設定される。また、「通話・電子メール」モードでは、「音声通信」、「無線通信」、「電話帳」、「表示」、「電子メール」、「データ通信」の機能ブロックが「使用」に設定され、それ以外の機能ブロックは「未使用」に設定される。
【００４８】
「通話１」モードでは、「音声通信」、「無線通信」、「電話帳」、「表示」の機能ブロックが「使用」に設定され、それ以外の機能ブロックは「未使用」に設定される。そして、「カスタム２」モードでは、「表示」、および、「カメラ」の機能ブロックが「使用」に設定され、それ以外の機能ブロックは「未使用」に設定される。
【００４９】
図１の説明に戻ると、機能ブロック使用履歴データ２２ｇは、携帯電話機に導入されたアプリケーションプログラムが所定の累積実行時間内に各機能を使用した回数を機能ブロックごとに記憶したデータである。
【００５０】
この機能ブロック使用履歴データ２２ｇは、各機能の使用／未使用を自動的に設定する場合に参照される。たとえば、新しいアプリケーションプログラムが携帯電話機に導入された場合には、そのアプリケーションプログラムが携帯電話機のどの機能を使用するかは不明であるが、アプリケーションプログラムが各機能を使用した回数を調べることにより、使用しない機能を自動的に未使用にすることができる。
【００５１】
機能限定モード切替スイッチ２３は、機能限定モード設定データ２２ｆに設定されている機能限定モードを排他的に切り替えるスイッチである。図４は、図１に示した機能限定モード切替スイッチ２３の一例を示す図である。
【００５２】
図４に示すように、この機能限定モード切替スイッチ２３は、携帯電話機の入力キー１２付近に設置され、ユーザが機能限定モード切替スイッチ２３を横にずらすことにより、各機能限定モードが排他的に選択される。
【００５３】
図１の説明に戻ると、制御部２４は、携帯電話機を全体制御する制御部であり、各機能部間のデータの授受などを司る。この制御部２４は、音声通信処理部２４ａ、電子メール処理部２４ｂ、データ通信処理部２４ｃ、撮影処理部２４ｄ、スケジュール管理部２４ｅ、電力供給制御部２４ｆ、および、表示状態変更制御部２４ｇを有する。
【００５４】
音声通信処理部２４ａは、音声通信回路１７を制御して、音声通信処理を実行する通信処理部である。この音声通信処理部２４ａは、ユーザから電話番号の参照要求がなされた場合に、電話帳データ２２ａを記憶部２２から読み出してＬＣＤ１３に表示する。
【００５５】
電子メール処理部２４ｂは、データ通信回路１８を制御して、電子メールの送受信処理を実行する通信処理部である。この電子メール処理部２４ｂは、送受信した電子メールを記憶部２２に電子メールデータ２２ｂとして記憶する。また、電子メール処理部２４ｂは、電子メールアドレスの参照要求がなされた場合に、電話帳データ２２ａを記憶部２２から読み出してＬＣＤ１３に表示する。
【００５６】
データ通信処理部２４ｃは、データ通信回路１８を制御して、インターネット上のサーバ装置などとの間でデータの送受信処理を実行する通信処理部である。このデータ通信処理部２４ｃは、受信したデータを記憶部２２に通信データ２２ｃとして記憶する。
【００５７】
撮影処理部２４ｄは、カメラ１４を制御して、静止画あるいは動画の撮影を実行する処理部である。この撮影処理部２４ｄは、撮影した画像を記憶部２２に画像データ２２ｄとして記憶する。
【００５８】
スケジュール管理部２４ｅは、ユーザのスケジュール情報の管理をおこなう管理部である。具体的には、このスケジュール管理部２４ｅは、ユーザから入力されたスケジュール情報を記憶部２２にスケジュールデータ２２ｅとして記憶する。また、ユーザからスケジュール情報の参照要求を受け付けた場合には、スケジュール管理部２４ｅは、スケジュールデータ２２ｅを記憶部２２から読み出してＬＣＤ１３に表示する。
【００５９】
電力供給制御部２４ｆは、各機能ブロックに対応するハードウェアに対する電力供給を、設定された機能限定モードに応じて制御する制御部である。具体的には、電力供給制御部２４ｆは、記憶部２２に記憶された機能限定モード設定データ２２ｆを読み出して、指定された機能限定モードの各機能ブロックの使用／未使用の設定を参照する。
【００６０】
そして、電力供給制御部２４ｆは、「使用」に設定された機能ブロックに対応するハードウェアに電力が供給され、「未使用」に設定された機能ブロックに対応するハードウェアに対する電力の供給が遮断されるよう電力供給回路１１を制御する。
【００６１】
また、電力供給制御部２４ｆは、機能限定モードの切り替えを、ＬＣＤ１３に表示されたメニュー上でソフトウェアによりおこなうのか、機能限定モード切替スイッチ２３でおこなうのか、あるいは、機能限定モードの切り替えを無効にするのかの選択をユーザから受け付ける。
【００６２】
図５は、機能限定モードの切り替え方法の選択受付画面の一例を示す図である。図５に示すように、この選択受付画面では、「メニュー操作有効」、「多段階切り替えスイッチ有効」、および、「ＯＦＦ」の３つの項目が表示されている。
【００６３】
ここで、ユーザにより「メニュー操作有効」が選択された場合には、ＬＣＤ１３に表示されたメニュー上でソフトウェアを用いて機能限定モードの設定ができるようになる。「多段階切り替えスイッチ有効」が選択された場合には、図４に示した機能限定モード切替スイッチ２３を操作することにより機能限定モードの設定ができるようになる。また、「ＯＦＦ」が選択された場合には、機能限定モードの設定は禁止される。
【００６４】
このようにして、メニュー上での機能限定モードの設定機能と、機能限定モード切替スイッチ２３による機能限定モードの設定機能とが同時に有効とならないよう、電力供給制御部２４ｆにより排他制御がなされる。
【００６５】
図６は、機能限定モードの設定をおこなうメニュー画面の一例を示す図である。このメニュー画面は、図５において、「メニュー操作有効」が選択された場合に表示される。ユーザにより機能限定モードの１つが選択されると、その機能限定モードに応じてハードウェアへの電力供給が電力供給制御部２４ｆにより制御される。
【００６６】
また、電力供給制御部２４ｆは、カスタムモードの設定をユーザから受け付ける処理をおこなう。図７は、カスタムモードの設定受付画面の一例を示す図である。図７に示すように、この設定受付画面では、複数のカスタムモードのうち１つを選択する選択メニューと、各機能ブロックの使用／未使用を設定するメニューとが表示される。
【００６７】
そして、ユーザにより、カスタムモードと、各機能ブロックの使用／未使用とが設定された場合には、電力供給制御部２４ｆは、記憶部２２にその設定情報を機能限定モード設定データ２２ｆとして記憶させる。
【００６８】
さらに、電力供給制御部２４ｆは、新しいアプリケーションプログラムが携帯電話機に導入された場合に、機能限定モード設定データ２２ｆにそのアプリケーションプログラムに対応する機能限定モードを新たに追加し、すべての機能ブロックを使用に設定する。
【００６９】
また、電力供給制御部２４ｆは、そのアプリケーションプログラムが所定の累積実行時間内に使用した各機能ブロックの回数を記憶部２２に機能ブロック使用履歴データ２２ｇとして記憶する処理をおこなう。そして、電力供給制御部２４ｆは、使用回数が０回である機能ブロックがある場合には、その機能ブロックの設定を自動的に未使用に更新する。
【００７０】
また、電力供給制御部２４ｆは、使用回数が所定値以下である機能ブロックがある場合には、各機能ブロックの使用回数の情報をＬＣＤ１３に表示するとともに、その機能ブロックを未使用に設定するか否かを確認する画面を表示し、ユーザの入力を受け付ける処理をおこなう。
【００７１】
そして、電力供給制御部２４ｆは、ユーザから機能ブロックを未使用にする入力を受け付けた場合には、新たに追加された機能限定モードのその機能ブロックの設定を未使用にする。
【００７２】
なお、機能限定モードが新規に追加された場合には、電力供給制御部２４ｆは、図６に示したようなメニュー画面に新たな機能限定モードを表示させる。そして、新たな機能限定モードへの切り替えは、表示されたメニュー上でのユーザによる選択操作によりおこなわれる。
【００７３】
図８は、各機能ブロックの使用回数表示画面の一例を示す図である。図８に示すように、この使用回数表示画面では、新たに導入されたアプリケーションプログラムが使用した各機能ブロックの使用回数が表示される。
【００７４】
また、図９は、機能ブロックの使用／未使用設定受付画面の一例を示す図である。図９に示すように、この使用／未使用設定受付画面では、使用回数が所定値以下の機能ブロックを使用不可にしてよいかを確認する入力をユーザから受け付ける。
【００７５】
図１の説明に戻ると、表示状態変更制御部２４ｇは、未使用に設定された機能ブロックを用いる機能の操作メニューと、使用に設定された機能ブロックを用いる機能の操作メニューとで、表示状態を変更するよう制御する処理をおこなう。
【００７６】
図１０は、機能ブロックの使用／未使用に応じて表示色が変更された操作メニューの一例を示す図である。図１０に示すように、表示状態変更制御部２４ｇは、未使用に設定された機能ブロックに対応する機能の操作メニューをグレーの表示とし、使用に設定された機能ブロックに対応する機能の操作メニューを黒の表示とすることにより、両者を区別できるようにしている。
【００７７】
なお、ここでは、色の違いにより操作メニューを区別することとしているが、未使用に設定された機能ブロックに対応する機能の操作メニューは非表示状態とし、使用に設定された機能ブロックに対応する機能の操作メニューのみを表示状態にすることとしてもよい。
【００７８】
図１１は、機能ブロックの使用／未使用に応じて表示状態／非表示状態に設定された操作メニューの一例を示す図である。図１１に示すように、未使用に設定された機能ブロックに対応する機能の操作メニューを非表示状態とすることにより、ユーザは、使用できる機能を容易に把握することができる。
【００７９】
さらには、未使用に設定された機能ブロックに対応する機能の操作メニューは小さいフォントで表示することとし、使用に設定された機能ブロックに対応する機能の操作メニューは大きいフォントで表示することとしてもよい。
【００８０】
図１２は、機能ブロックの使用／未使用に応じてフォントの大きさが変更された操作メニューの一例を示す図である。図１２に示すように、使用に設定された機能ブロックに対応する機能の操作メニューを、未使用に設定された機能ブロックに対応する機能の操作メニューよりも大きなフォントで表示することにより、ユーザは、使用できる機能を容易に把握することができる。
【００８１】
つぎに、本実施例に係る機能限定モード設定処理の処理手順について説明する。図１３は、本実施例に係る機能限定モード設定処理の処理手順を示すフローチャートである。
【００８２】
図１３に示すように、まず、携帯電話機の電力供給制御部２４ｆは、ＬＣＤ１３に機能限定モード名を表示させ（ステップＳ１０１）、さらに、機能限定モードを指定するために用いるカーソルを表示させる（ステップＳ１０２）。
【００８３】
そして、電力供給制御部２４ｆは、ユーザからキー入力を受け付けたか否かを調べ（ステップＳ１０３）、キー入力を受け付けていない場合には（ステップＳ１０３，Ｎｏ）、ステップＳ１０３に移行して、ユーザによりキー入力がなされるのを待ち受ける。
【００８４】
ユーザからのキー入力を受け付けた場合には（ステップＳ１０３，Ｙｅｓ）、電力供給制御部２４ｆは、そのキー入力が機能限定モードを確定する入力であるか否かを調べる（ステップＳ１０４）。
【００８５】
そのキー入力が機能限定モードを確定する入力でない場合には（ステップＳ１０４，Ｎｏ）、電力供給制御部２４ｆは、機能限定モードを選択するカーソルを上下に移動させる上下移動キーが押下されたか否かを調べる（ステップＳ１０５）。
【００８６】
上下移動キーが押下されていない場合には（ステップＳ１０５，Ｎｏ）、ステップＳ１０３に移行して、電力供給制御部２４ｆは、ユーザによりキー入力がなされるのを待ち受ける。
【００８７】
上下移動キーが押下された場合には（ステップＳ１０５，Ｙｅｓ）、電力供給制御部２４ｆは、カーソル位置を上下に移動させ（ステップＳ１０６）、ステップＳ１０３に移行して、つぎにユーザによりキー入力がなされるのを待ち受ける。
【００８８】
ステップＳ１０４において、キー入力が機能限定モードを確定する入力である場合には（ステップＳ１０４，Ｙｅｓ）、電力供給制御部２４ｆは、記憶部２２から機能限定モード設定データ２２ｆを読み出す（ステップＳ１０７）。
【００８９】
そして、電力供給制御部２４ｆは、確定された機能限定モードに対応する各機能ブロックの使用／未使用に応じて、各機能ブロックに対応するハードウェアに対する電力の供給／遮断を制御し（ステップＳ１０８）、機能限定モードの切り替え完了メッセージをＬＣＤ１３に表示する（ステップＳ１０９）。
【００９０】
その後、表示状態変更制御部２４ｇは、図１０、図１１、あるいは、図１２に示したようにして、各機能の操作メニューの表示状態を変更し（ステップＳ１１０）、この機能限定モード設定処理を終了する。
【００９１】
つぎに、ユーザによるカスタムモードの設定受付処理の処理手順について説明する。図１４は、ユーザによるカスタムモードの設定受付処理の処理手順を示すフローチャートである。
【００９２】
図１４に示すように、まず、携帯電話機の電力供給制御部２４ｆは、図７に示したような、カスタムモードおよび機能ブロックの使用／未使用選択画面をＬＣＤ１３に表示させ（ステップＳ２０１）、さらに、カスタムモードおよび機能ブロックの使用／未使用を選択するために用いるカーソルを表示させる（ステップＳ２０２）。
【００９３】
そして、電力供給制御部２４ｆは、ユーザからキー入力を受け付けたか否かを調べ（ステップＳ２０３）、キー入力を受け付けていない場合には（ステップＳ２０３，Ｎｏ）、ステップＳ２０３に移行して、ユーザによりキー入力がなされるのを待ち受ける。
【００９４】
ユーザからのキー入力を受け付けた場合には（ステップＳ２０３，Ｙｅｓ）、電力供給制御部２４ｆは、そのキー入力がカスタムモードの登録を要求する入力であるか否かを調べる（ステップＳ２０４）。
【００９５】
キー入力がカスタムモードの登録を要求する入力である場合には（ステップＳ２０４，Ｙｅｓ）、電力供給制御部２４ｆは、現在表示されているカスタムモードにおける各機能ブロックの使用／未使用の設定を、記憶部２２に機能限定モード設定データ２２ｆとして記憶する（ステップＳ２０５）。
【００９６】
その後、電力供給制御部２４ｆは、カスタムモードの登録が完了したことを示すメッセージをＬＣＤ１３に表示させ（ステップＳ２０６）、このカスタムモードの設定受付処理を終了する。
【００９７】
ステップＳ２０４において、キー入力がカスタムモードの登録を要求する入力でない場合には（ステップＳ２０４，Ｎｏ）、電力供給制御部２４ｆは、そのキー入力がカスタムモードを選択する入力、または、機能ブロックの使用／未使用を選択する入力であるか否かを調べる（ステップＳ２０７）。
【００９８】
キー入力がカスタムモードを選択する入力でもなく、機能ブロックの使用／未使用を選択する入力でもない場合には（ステップＳ２０７，Ｎｏ）、電力供給制御部２４ｆは、カスタムモードおよび機能ブロックの使用／未使用を選択するために用いるカーソルを上下に移動させる上下移動キーが押下されたか否かを調べる（ステップＳ２０８）。
【００９９】
上下移動キーが押下されていない場合には（ステップＳ２０８，Ｎｏ）、ステップＳ２０３に移行して、電力供給制御部２４ｆは、ユーザによりキー入力がなされるのを待ち受ける。
【０１００】
上下移動キーが押下された場合には（ステップＳ２０８，Ｙｅｓ）、電力供給制御部２４ｆは、カーソル位置を上下に移動させ（ステップＳ２０９）、ステップＳ２０３に移行して、つぎにユーザによりキー入力がなされるのを待ち受ける。
【０１０１】
ステップＳ２０７において、キー入力がカスタムモードを選択する入力、または、機能ブロックの使用／未使用を選択する入力である場合には（ステップＳ２０７，Ｙｅｓ）、電力供給制御部２４ｆは、カスタムモードの選択処理、または、機能ブロックの使用／未使用の選択処理を実行し（ステップＳ２１０）、ステップＳ２０３に移行して、つぎにユーザによりキー入力がなされるのを待ち受ける。
【０１０２】
図１５は、図１４のステップＳ２１０に示した選択処理の処理手順を示すフローチャートである。図１５に示すように、まず、電力供給制御部２４ｆは、機能ブロックの使用／未使用の選択候補をＬＣＤ１３に表示させ（ステップＳ３０１）、さらに、機能ブロックの使用／未使用を選択するために用いるカーソルを表示させる（ステップＳ３０２）。
【０１０３】
そして、電力供給制御部２４ｆは、ユーザからキー入力を受け付けたか否かを調べ（ステップＳ３０３）、キー入力を受け付けていない場合には（ステップＳ３０３，Ｎｏ）、ステップＳ３０３に移行して、ユーザによりキー入力がなされるのを待ち受ける。
【０１０４】
ユーザからのキー入力を受け付けた場合には（ステップＳ３０３，Ｙｅｓ）、電力供給制御部２４ｆは、そのキー入力が機能ブロックの使用／未使用を選択する入力であるか否かを調べる（ステップＳ３０４）。
【０１０５】
そのキー入力が機能ブロックの使用／未使用を選択する入力でない場合には（ステップＳ３０４，Ｎｏ）、電力供給制御部２４ｆは、機能ブロックの使用／未使用を選択するために用いるカーソルを上下に移動させる上下移動キーが押下されたか否かを調べる（ステップＳ３０５）。
【０１０６】
上下移動キーが押下されていない場合には（ステップＳ３０５，Ｎｏ）、ステップＳ３０３に移行して、電力供給制御部２４ｆは、ユーザによりキー入力がなされるのを待ち受ける。
【０１０７】
上下移動キーが押下された場合には（ステップＳ３０５，Ｙｅｓ）、電力供給制御部２４ｆは、カーソル位置を上下に移動させ（ステップＳ３０６）、ステップＳ３０３に移行して、つぎにユーザによりキー入力がなされるのを待ち受ける。
【０１０８】
ステップＳ３０４において、キー入力が機能ブロックの使用／未使用を選択する入力である場合には（ステップＳ３０４，Ｙｅｓ）、電力供給制御部２４ｆは、選択された項目のみをＬＣＤ１３に表示させることにより選択内容を表示に反映させる（ステップＳ３０７）。
【０１０９】
続いて、電力供給制御部２４ｆは、カスタムモードの変更要求がユーザにより入力されたか否かを調べ（ステップＳ３０８）、カスタムモードの変更要求が入力されていない場合には（ステップＳ３０８，Ｎｏ）、このカスタムモードまたは機能ブロックの使用／未使用の選択処理を終了する。
【０１１０】
カスタムモードの変更要求が入力された場合には（ステップＳ３０８，Ｙｅｓ）、電力供給制御部２４ｆは、変更後のカスタムモードをＬＣＤ１３に表示させることにより変更内容を表示に反映させ（ステップＳ３０９）、このカスタムモードまたは機能ブロックの使用／未使用の選択処理を終了する。
【０１１１】
つぎに、各機能ブロックの使用／未使用を使用履歴に基づいて設定する設定処理の処理手順について説明する。図１６は、各機能ブロックの使用／未使用を使用履歴に基づいて設定する設定処理の処理手順を示すフローチャートである。
【０１１２】
図１６に示すように、まず、携帯電話機の電力供給制御部２４ｆは、新たにアプリケーションプログラムが導入された場合に、それを検出する処理をおこなう（ステップＳ４０１）。
【０１１３】
そして、電力供給制御部２４ｆは、記憶部２２に記憶された機能限定モード設定データ２２ｆに、導入を検出したアプリケーションプログラム用の機能限定モードを追加する（ステップＳ４０２）。さらに、電力供給制御部２４ｆは、すべての機能ブロックを使用に設定し、すべての機能ブロックのハードウェアに対して電力供給をおこなう（ステップＳ４０３）。
【０１１４】
続いて、電力供給制御部２４ｆは、新たに導入されたアプリケーションプログラムが所定の累積実行時間内に各機能ブロックを使用した回数を記憶部２２に機能ブロック使用履歴データ２２ｇとして記憶する（ステップＳ４０４）。
【０１１５】
そして、電力供給制御部２４ｆは、使用回数が０回である機能ブロックがあるか否かを調べ（ステップＳ４０５）、使用回数が０回である機能ブロックがある場合には（ステップＳ４０５，Ｙｅｓ）、機能限定モード設定データ２２ｆの当該機能ブロックに対応する使用／未使用の設定を未使用に更新する（ステップＳ４０６）。
【０１１６】
ステップＳ４０５において、使用回数が０回である機能ブロックがない場合には（ステップＳ４０５，Ｎｏ）、ステップＳ４０６の処理を実行せずに、そのままステップＳ４０７に移行する。
【０１１７】
その後、電力供給制御部２４ｆは、使用回数が所定値（０は除く）以下である機能ブロックがあるか否かを調べ（ステップＳ４０７）、使用回数が所定値以下である機能ブロックがない場合には（ステップＳ４０７，Ｎｏ）、そのままこの設定処理を終了する。
【０１１８】
使用回数が所定値以下である機能ブロックがある場合には（ステップＳ４０７，Ｙｅｓ）、電力供給制御部２４ｆは、図９に示したような画面をＬＣＤ１３に表示して、使用回数が所定値以下である機能ブロックの使用／未使用の選択をユーザから受け付ける（ステップＳ４０８）。
【０１１９】
そして、電力供給制御部２４ｆは、ユーザによりなされた使用／未使用の選択に基づいて、機能限定モード設定データ２２ｆの当該機能ブロックに対応する使用／未使用の情報を更新し（ステップＳ４０９）、この設定処理を終了する。
【０１２０】
ところで、上記実施例で説明した各種の処理は、あらかじめ用意されたプログラムをコンピュータで実行することによって実現することができる。そこで、以下に、上記各種処理を実現するプログラムを実行するコンピュータの一例について説明する。
【０１２１】
図１７は、図１に示した携帯電話機となるコンピュータのハードウェア構成を示す図である。このコンピュータは、電源１０、電力供給回路１１、入力キー１２、ＬＣＤ１３、カメラ１４、スピーカ１５、マイク１６、音声通信回路１７、データ通信回路１８、アンテナ１９、無線通信回路２０、ＲＴＣ２１、機能限定モード切替スイッチ２３、フラッシュメモリ３０、ＲＡＭ（Random Access Memory）３１、ＲＯＭ（Read Only Memory）３２、ＣＰＵ（Central Processing Unit）３３をバス３４で接続して構成される。なお、図１７では、図１に示したハードウェアと同じハードウェアについては、同一の符号を付している。
【０１２２】
そして、ＲＯＭ３２には、携帯電話機と同等の機能を発揮するプログラム、すなわち、音声通信処理プログラム３２ａ、電子メール処理プログラム３２ｂ、データ通信処理プログラム３２ｃ、撮影処理プログラム３２ｄ、スケジュール管理プログラム３２ｅ、電力供給制御プログラム３２ｆおよび表示状態変更制御プログラム３２ｇが記憶されている。なお、これらのプログラムは、適宜統合または分散して記憶することとしてもよい。
【０１２３】
そして、ＣＰＵ３３が、これらのプログラムをＲＯＭ３２から読み出して実行することにより、音声通信処理プロセス３３ａ、電子メール処理プロセス３３ｂ、データ通信処理プロセス３３ｃ、撮影処理プロセス３３ｄ、スケジュール管理プロセス３３ｅ、電力供給制御プロセス３３ｆおよび表示状態変更制御プロセス３３ｇとして機能するようになる。
【０１２４】
音声通信処理プロセス３３ａ、電子メール処理プロセス３３ｂ、データ通信処理プロセス３３ｃ、撮影処理プロセス３３ｄ、スケジュール管理プロセス３３ｅ、電力供給制御プロセス３３ｆおよび表示状態変更制御プロセス３３ｇは、図１に示した音声通信処理部２４ａ、電子メール処理部２４ｂ、データ通信処理部２４ｃ、撮影処理部２４ｄ、スケジュール管理部２４ｅ、電力供給制御部２４ｆ、および、表示状態変更制御部２４ｇにそれぞれ対応する。
【０１２５】
また、フラッシュメモリ３０には、電話帳データ３０ａ、電子メールデータ３０ｂ、通信データ３０ｃ、画像データ３０ｄ、スケジュールデータ３０ｅ、機能限定モード設定データ３０ｆ、および、機能ブロック使用履歴データ３０ｇが記憶される。
【０１２６】
この電話帳データ３０ａ、電子メールデータ３０ｂ、通信データ３０ｃ、画像データ３０ｄ、スケジュールデータ３０ｅ、機能限定モード設定データ３０ｆ、および、機能ブロック使用履歴データ３０ｇは、図１に示した記憶部２２に記憶される電話帳データ２２ａ、電子メールデータ２２ｂ、通信データ２２ｃ、画像データ２２ｄ、スケジュールデータ２２ｅ、機能限定モード設定データ２２ｆ、および、機能ブロック使用履歴データ２２ｇにそれぞれ対応する。
【０１２７】
そして、ＣＰＵ３３は、これらのデータをフラッシュメモリ３０に記憶するとともに、これらのデータをフラッシュメモリ３０から読み出してＲＡＭ３１に記憶させ、ＲＡＭ３１に記憶された電話帳データ３１ａ、電子メールデータ３１ｂ、通信データ３１ｃ、画像データ３１ｄ、スケジュールデータ３１ｅ、機能限定モード設定データ３１ｆ、および、機能ブロック使用履歴データ３１ｇに基づいて各種データ処理を実行する。
【０１２８】
ところで、音声通信処理プログラム３２ａ、電子メール処理プログラム３２ｂ、データ通信処理プログラム３２ｃ、撮影処理プログラム３２ｄ、スケジュール管理プログラム３２ｅ、電力供給制御プログラム３２ｆおよび表示状態変更制御プログラム３２ｇは、必ずしもＲＯＭ３２に記憶させておく必要はない。
【０１２９】
たとえば、フレキシブルディスク（ＦＤ）、ＣＤ−ＲＯＭ、ＭＯディスク、ＤＶＤディスク、光磁気ディスク、ＩＣカード、ハードディスクドライブ（ＨＤＤ）、さらには、公衆回線、インターネット、ＬＡＮ、ＷＡＮなどを介してコンピュータに接続される「他のコンピュータ（またはサーバ）」などに各プログラムを記憶しておき、コンピュータがこれらから各プログラムを読み出して実行するようにしてもよい。
【０１３０】
上述してきたように、本実施例では、記憶部２２が、各機能の使用／未使用の設定情報である機能限定モード設定データ２２ｆを記憶し、電力供給制御部２４ｆが、機能限定モード設定データ２２ｆに基づいて各機能に対応するハードウェアへの電力の供給を制御し、表示状態変更制御部２４ｇが、電力供給制御部２４ｆによる制御により電力の供給がなされたハードウェアに対応する機能の操作に係る情報と、電力の供給が遮断されたハードウェアに対応する機能の操作に係る情報とでＬＣＤ１３における情報の表示状態が異なる状態となるよう制御することとしたので、使用する機能と未使用の機能とがどれであるかをユーザが容易に把握することができる。
【０１３１】
また、本実施例では、記憶部２２が、通話や電子メールなどの所定の処理を実行するのに必要な機能の組み合わせを、使用する機能としてあらかじめ設定した機能限定モード設定データ２２ｆを記憶することとしたので、所定の処理を実行するのに最小限必要な機能の組み合わせなどをあらかじめ設定しておくことができ、ユーザが煩雑な設定をおこなうことなく、電力の消費量を容易に抑制することができる。
【０１３２】
また、本実施例では、電力供給制御部２４ｆが、各機能の使用／未使用の設定をユーザから受け付け、受け付けた各機能の使用／未使用の設定を機能限定モード設定データ２２ｆとして記憶することとしたので、ユーザの携帯電話機の使用状況に応じて機能限定モード設定データ２２ｆをカスタマイズすることができる。
【０１３３】
また、本実施例では、記憶部２２に各機能の使用／未使用の機能限定モードが複数記憶されている場合に、ユーザによる切り替え操作により複数の機能限定モードの中から１つの機能限定モードを排他的に選択する機能限定モード切替スイッチ２３を携帯電話機が備え、機能限定モード切替スイッチ２３が切り替えられることにより選択された機能限定モードに基づいて、各機能に対応するハードウェアへの電力の供給を制御することとしたので、ユーザが機能限定モード切替スイッチ２３により容易に電力の供給パターンを変更することができる。
【０１３４】
また、本実施例では、記憶部２２に各機能の使用／未使用の機能限定モードが複数記憶されている場合に、電力供給制御部２４ｆが、複数の機能限定モードの中から１つの機能限定モードを排他的に選択する選択メニューを表示し、ユーザによる機能限定モードの選択結果を受け付け、受け付けた選択結果に基づいて、各機能を実現するハードウェアへの電力の供給を制御することとしたので、ユーザが選択メニューから機能限定モードを選択することにより容易に電力の供給パターンを変更することができる。
【０１３５】
また、本実施例では、記憶部２２に各機能の使用／未使用の機能限定モードが複数記憶され、ユーザによる切り替え操作により複数の機能限定モードの中から１つの機能限定モードを排他的に選択する機能限定モード切替スイッチ２３と、複数の機能限定モードの中から１つの機能限定モードを排他的に選択する選択メニューを表示し、ユーザによる設定情報の選択結果を受け付ける選択結果受付機能とが携帯電話機にある場合に、電力供給制御部２４ｆが、機能限定モード切替スイッチ２３と選択結果受付機能とが排他的に機能するよう制御することとしたので、ユーザが機能限定モード切替スイッチ２３、あるいは、選択メニューのどちらからでも確実かつ容易に電力の供給パターンを変更することができる。
【０１３６】
また、本実施例では、記憶部２２が、アプリケーションプログラムによりおこなわれる処理を実行する場合に使用された各機能の使用履歴に係る情報を機能ブロック使用履歴データ２２ｆとして記憶し、電力供給制御部２４ｆが、記憶部２２に記憶された機能ブロック使用履歴データ２２ｆに基づいて各機能の使用／未使用を設定し、電力供給制御部２４ｆによりなされた使用／未使用の設定結果を機能限定モード設定データ２２ｆとして記憶することとしたので、新しいアプリケーションプログラムが導入された場合などに、アプリケーションプログラムが実行する処理が使用する機能、使用しない機能を判定することができ、容易かつ効率的に電力の供給パターンを設定することができる。
【０１３７】
さて、これまで本発明の実施例について説明したが、本発明は上述した実施例以外にも、特許請求の範囲に記載した技術的思想の範囲内において種々の異なる実施例にて実施されてもよいものである。
【０１３８】
たとえば、上記実施例では、電力の各部への供給を制御するとともに、電力の供給／遮断に応じて操作メニューの表示状態を変更する装置が携帯電話機である場合について説明したが、本発明はこれに限定されるものではなく、ＰＤＡ（Personal Digital Assistant）などの携帯型の情報処理装置やパーソナルコンピュータなどの情報処理装置であってもよい。
【０１３９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１４０】
この他、上記文書中や図面中で示した処理手順、制御手順、具体的名称、各種のデータやパラメータを含む情報については、特記する場合を除いて任意に変更することができる。
【０１４１】
また、図示した携帯電話機の各構成要素は機能概念的なものであり、必ずしも物理的に図示のように構成されていることを要しない。すなわち、各構成要素の分散・統合の具体的形態は図示のものに限られず、その全部または一部を、各種の負荷や使用状況などに応じて、任意の単位で機能的または物理的に分散・統合して構成することができる。
【０１４２】
さらに、携帯電話機にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４３】
（付記１）自装置の各機能の操作に係る情報を表示する表示部を有する情報処理装置であって、
各機能の使用／未使用の設定情報を記憶する設定情報記憶手段と、
前記設定情報記憶手段により記憶された設定情報に基づいて各機能に対応するハードウェアへの電力の供給を制御する電力供給制御手段と、
前記電力供給制御手段による制御により電力の供給がなされたハードウェアに対応する機能の操作に係る情報と、電力の供給が遮断されたハードウェアに対応する機能の操作に係る情報とで前記表示部における情報の表示状態が異なる状態となるよう制御する表示状態変更制御手段と、
を備えたことを特徴とする情報処理装置。
【０１４４】
（付記２）前記設定情報記憶手段は、所定の処理を実行するのに必要な機能の組み合わせを、使用する機能としてあらかじめ設定した設定情報を記憶することを特徴とする付記１に記載の情報処理装置。
【０１４５】
（付記３）前記各機能の使用／未使用の設定をユーザから受け付ける設定受付手段をさらに備え、前記設定情報記憶手段は、前記設定受付手段により受け付けられた各機能の使用／未使用の設定を前記設定情報として記憶することを特徴とする付記１または２に記載の情報処理装置。
【０１４６】
（付記４）前記設定情報記憶手段により各機能の使用／未使用の設定情報が複数記憶されている場合に、ユーザによる切り替え操作により複数の設定情報の中から１つの設定情報を排他的に選択する選択スイッチをさらに備え、前記電力供給制御手段は、前記選択スイッチが切り替えられることにより選択された設定情報に基づいて、各機能に対応するハードウェアへの電力の供給を制御することを特徴とする付記１、２または３に記載の情報処理装置。
【０１４７】
（付記５）前記設定情報記憶手段により各機能の使用／未使用の設定情報が複数記憶されている場合に、複数の設定情報の中から１つの設定情報を排他的に選択する選択メニューを表示し、ユーザによる設定情報の選択結果を受け付ける選択結果受付手段をさらに備え、前記電力供給制御手段は、前記選択結果受付手段により受け付けられた選択結果に基づいて、各機能を実現するハードウェアへの電力の供給を制御することを特徴とする付記１〜４のいずれか１つに記載の情報処理装置。
【０１４８】
（付記６）前記情報記憶手段により各機能の使用／未使用の設定情報が複数記憶されている場合に、ユーザによる切り替え操作により複数の設定情報の中から１つの設定情報を排他的に選択する選択スイッチと、複数の設定情報の中から１つの設定情報を排他的に選択する選択メニューを表示し、ユーザによる設定情報の選択結果を受け付ける選択結果受付手段と、前記選択スイッチと前記選択結果受付手段とが排他的に機能するよう制御する機能制御手段とを備えたことを特徴とする付記１、２または３に記載の情報処理装置。
【０１４９】
（付記７）所定の処理を実行する場合に使用された各機能の使用履歴に係る情報を記憶する使用履歴情報記憶手段と、前記使用履歴情報記憶手段により記憶された情報に基づいて各機能の使用／未使用を設定する使用／未使用設定手段とをさらに備え、前記設定情報記憶手段は、使用／未使用設定手段によりなされた使用／未使用の設定結果を前記設定情報として記憶することを特徴とする付記１〜６のいずれか１つに記載の情報処理装置。
【０１５０】
（付記８）自装置の各機能の操作に係る情報を表示部に表示する情報処理方法であって、
各機能の使用／未使用の設定情報を記憶する設定情報記憶工程と、
前記設定情報記憶工程により記憶された設定情報に基づいて各機能に対応するハードウェアへの電力の供給を制御する電力供給制御工程と、
前記電力供給制御工程による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御工程と、
を含んだことを特徴とする情報処理方法。
【０１５１】
（付記９）自装置の各機能の操作に係る情報を表示部に表示する情報処理プログラムであって、
各機能の使用／未使用の設定情報を記憶する設定情報記憶手順と、
前記設定情報記憶手順により記憶された設定情報に基づいて各機能に対応するハードウェアへの電力の供給を制御する電力供給制御手順と、
前記電力供給制御手順による制御により電力の供給がなされたハードウェアに対応する機能の操作に係る情報と、電力の供給が遮断されるハードウェアに対応する機能の操作に係る情報とで前記表示部における情報の表示状態を変更するよう制御する表示状態変更制御手順と、
をコンピュータに実行させることを特徴とする情報処理プログラム。
【産業上の利用可能性】
【０１５２】
以上のように、本発明に係る情報処理装置、情報処理方法および情報処理プログラムは、使用する機能と未使用の機能とがどれであるかをユーザが容易に把握することのできる情報処理システムに有用である。
【図面の簡単な説明】
【０１５３】
【図１】本実施例に係る携帯電話機の機能構成を示す図である。
【図２】図１に示した機能限定モード設定データ２２ｆの一例を示す図である。
【図３】図２に示した機能限定モードと機能ブロックとの間の関係を概念的に示す図である。
【図４】図１に示した機能限定モード切替スイッチ２３の一例を示す図である。
【図５】機能限定モードの切り替え方法の選択受付画面の一例を示す図である。
【図６】機能限定モードの設定をおこなうメニュー画面の一例を示す図である。
【図７】カスタムモードの設定受付画面の一例を示す図である。
【図８】各機能ブロックの使用回数表示画面の一例を示す図である。
【図９】機能ブロックの使用／未使用設定受付画面の一例を示す図である。
【図１０】機能ブロックの使用／未使用に応じて表示色が変更された操作メニューの一例を示す図である。
【図１１】機能ブロックの使用／未使用に応じて表示状態／非表示状態に設定された操作メニューの一例を示す図である。
【図１２】機能ブロックの使用／未使用に応じてフォントの大きさが変更された操作メニューの一例を示す図である。
【図１３】本実施例に係る機能限定モード設定処理の処理手順を示すフローチャートである。
【図１４】ユーザによるカスタムモードの設定受付処理の処理手順を示すフローチャートである。
【図１５】図１４のステップＳ２１０に示した選択処理の処理手順を示すフローチャートである。
【図１６】各機能ブロックの使用／未使用を使用履歴に基づいて設定する設定処理の処理手順を示すフローチャートである。
【図１７】図１に示した携帯電話機となるコンピュータのハードウェア構成を示す図である。
【符号の説明】
【０１５４】
１０    電源
１１    電力供給回路
１２    入力キー
１３    ＬＣＤ
１４    カメラ
１５    スピーカ
１６    マイク
１７    音声通信回路
１８    データ通信回路
１９    アンテナ
２０    無線通信回路
２１    ＲＴＣ
２２    記憶部
２２ａ，３０ａ，３１ａ    電話帳データ
２２ｂ，３０ｂ，３１ｂ    電子メールデータ
２２ｃ，３０ｃ，３１ｃ    通信データ
２２ｄ，３０ｄ，３１ｄ    画像データ
２２ｅ，３０ｅ，３１ｅ    スケジュールデータ
２２ｆ，３０ｆ，３１ｆ    機能限定モード設定データ
２２ｇ，３０ｇ，３１ｇ    機能ブロック使用履歴データ
２３    機能限定モード切替スイッチ
２４    制御部
２４ａ    音声通信処理部
２４ｂ    電子メール処理部
２４ｃ    データ通信処理部
２４ｄ    撮影処理部
２４ｅ    スケジュール管理部
２４ｆ    電力供給制御部
２４ｇ    表示状態変更制御部
３０    フラッシュメモリ
３１    ＲＡＭ
３２    ＲＯＭ
３２ａ    音声通信処理プログラム
３２ｂ    電子メール処理プログラム
３２ｃ    データ通信処理プログラム
３２ｄ    撮影処理プログラム
３２ｅ    スケジュール管理プログラム
３２ｆ    電力供給制御プログラム
３２ｇ    表示状態変更制御プログラム
３３    ＣＰＵ
３３ａ    音声通信処理プロセス
３３ｂ    電子メール処理プロセス
３３ｃ    データ通信処理プロセス
３３ｄ    撮影処理プロセス
３３ｅ    スケジュール管理プロセス
３３ｆ    電力供給制御プロセス
３３ｇ    表示状態変更制御プロセス
３４    バス
【図１】
2007034709.tif 000003
【図２】
2007034709.tif 000004
【図３】
2007034709.tif 000005
【図４】
2007034709.tif 000006
【図５】
2007034709.tif 000007
【図６】
2007034709.tif 000008
【図７】
2007034709.tif 000009
【図８】
2007034709.tif 000010
【図９】
2007034709.tif 000011
【図１０】
2007034709.tif 000012
【図１１】
2007034709.tif 000013
【図１２】
2007034709.tif 000014
【図１３】
2007034709.tif 000015
【図１４】
2007034709.tif 000016
【図１５】
2007034709.tif 000017
【図１６】
2007034709.tif 000018
【図１７】
2007034709.tif 000019